(57)【要約】【課題】ＬＥＤ素子を光源として使用した発光装置であって、大型化及びコストアップの防止が図られた構成で光源を大きく見せることができ、ＬＥＤ素子の点発光がもたらす不快感を抑制することが可能な発光装置を提供する。【解決手段】発光装置１は、表面に電極３が形成された基板２と、この基板２の電極３上に固定され、凹部４ａを有するＬＥＤ保持部材４と、このＬＥＤ保持部材４の凹部４ａに固定され、電極３に接続されたＬＥＤ素子５と、このＬＥＤ素子５を凹部４ａに封ずる形で凹部４ａに配置され、蛍光体が添加された第１樹脂６と、ＬＥＤ保持部材４全体を覆い隠す形で基板２上に盛られ、蛍光体が添加されていない第２樹脂７とを備える。これにより、見かけ上光源を大きく見せることができ、且つぎらつき感を低減させることが可能である。したがって、ＬＥＤの前方に別途レンズや光拡散板を置くなどする必要がない。【選択図】図１
2011014760.tif 000002
【特許請求の範囲】
【請求項１】
表面に電極が形成された基板と、この基板の電極上に固定され、凹部を有するＬＥＤ保持部材と、このＬＥＤ保持部材の凹部に固定され、前記電極に接続されたＬＥＤ素子と、このＬＥＤ素子を前記凹部に封ずる形で凹部に配置され、蛍光体が添加された第１樹脂と、前記ＬＥＤ保持部材全体を覆い隠す形で前記基板上に盛られ、蛍光体が添加されていない第２樹脂とを備えることを特徴とする発光装置。
【発明の詳細な説明】
【技術分野】
【０００１】
本発明は、ＬＥＤ素子を光源として使用した発光装置に関する。
【背景技術】
【０００２】
家庭やオフィスなどにおいては従来、発光装置として蛍光灯が広く使用されている。蛍光灯は一般的に、所定の気体を封入したガラス管内に電極を配置し、放電で発生する紫外線をガラス管内面に塗布された蛍光物質に当て可視光線に変換する光源である。家庭では主に円形の蛍光管が、オフィスでは棒状の蛍光管が使用されていることが多い。
【０００３】
一方、発光ダイオード（Ｌｉｇｈｔ  Ｅｍｉｔｔｉｎｇ  Ｄｉｏｄｅ、以下ＬＥＤと称す）は、低電圧、高効率で光を照射することができるので、発光装置としての利用が近年注目されている。ＬＥＤを利用した発光装置は、蛍光灯やフィラメントを用いた電球などと比較して、消費電力を低減させることが可能である。
【０００４】
上記のようなＬＥＤを利用した発光装置の一例を、特許文献１に見ることができる。特許文献１に記載された発光装置は、いわゆる砲弾型発光装置である。この発光装置は、基台の凹部に発光素子が載置された後、発光素子の上方を第１及び第２の部材で被覆し、さらに第３の部材によって全体を被覆する形で砲弾形状に成形されている。第１の部材は、蛍光物質を含有することがある。
【先行技術文献】
【特許文献】
【０００５】
【特許文献１】特開２００７−１８０３３９号公報（第６頁、図１）
【発明の概要】
【発明が解決しようとする課題】
【０００６】
特許文献１に記載された発光装置に関して、ＬＥＤ素子は、一般的に０．２ｍｍ角〜１．０ｍｍ角と小さいため、蛍光体が添加された樹脂で周囲を覆っても発光面積が小さく、点発光になる可能性が高い。照明の用途としてＬＥＤを応用する場合、必要な照度を得るためにはＬＥＤを数十個から数百個並べて点灯する必要がある。このように多くのＬＥＤが点発光して視界に入ると、ぎらつき感が強く、非常に不快感を与える恐れがある。その結果として、不快感を与えるＬＥＤの点発光を解消するため、ＬＥＤの前方にレンズや光拡散板を置くなどする必要があり、照明装置の大型化、コストアップの問題が懸念されている。
【０００７】
本発明は上記の点に鑑みなされたものであり、ＬＥＤ素子を光源として使用した発光装置であって、大型化及びコストアップの防止が図られた構成で光源を大きく見せることができ、ＬＥＤ素子の点発光がもたらす不快感を抑制することが可能な発光装置を提供することを目的とする。
【課題を解決するための手段】
【０００８】
上記の課題を解決するため、本発明の発光装置は、表面に電極が形成された基板と、この基板の電極上に固定され、凹部を有するＬＥＤ保持部材と、このＬＥＤ保持部材の凹部に固定され、前記電極に接続されたＬＥＤ素子と、このＬＥＤ素子を前記凹部に封ずる形で凹部に配置され、蛍光体が添加された第１樹脂と、前記ＬＥＤ保持部材全体を覆い隠す形で前記基板上に盛られ、蛍光体が添加されていない第２樹脂とを備えることとした。
【０００９】
この構成によれば、ＬＥＤ素子による光照射方向の箇所を、蛍光体が添加されていない第２樹脂で広く覆うことで、レンズのような効果を得ることができる。その結果、見かけ上光源を大きく見せることができ、且つぎらつき感を低減させることが可能である。したがって、ＬＥＤの前方に別途レンズや光拡散板を置くなどする必要がない。
【発明の効果】
【００１０】
本発明の構成によれば、ＬＥＤ素子を光源として使用した発光装置において、大型化及びコストアップの防止が図られた構成で光源を大きく見せることができ、ＬＥＤ素子の点発光がもたらす不快感を抑制することが可能な発光装置を提供することができる。
【図面の簡単な説明】
【００１１】
【図１】本発明の実施形態に係る発光装置の垂直断面図である。
【発明を実施するための形態】
【００１２】
以下、本発明の実施形態に係る発光装置について、図１を用いてその構造を説明する。図１は、発光装置の垂直断面図である。
【００１３】
発光装置１は、図１に示すように、基板２上にお椀を伏せたような形態をなしている。そして、発光装置１は、基板２、電極３、ＬＥＤ保持部材４、ＬＥＤ素子５、第１樹脂６、及び第２樹脂７を備えている。
【００１４】
基板２は、その表面に電極３が形成されている。そして、電極３上には、ＬＥＤ保持部材４が固定されている。この電極３を通して、ＬＥＤ素子５に電力が供給される。
【００１５】
ＬＥＤ保持部材４は、合成樹脂、若しくは金属で構成され、外形が略直方体形状をなしている。また、ＬＥＤ保持部材４は、凹部４ａを備えている。凹部４ａは、ＬＥＤ保持部材４の、基板２と近接する外底面４ｂの反対側の面である上面４ｃから、基板２側、すなわち下方に向かって窪んだ形状をなしている。
【００１６】
ＬＥＤ素子５は、ＬＥＤ保持部材４の凹部４ａの内底面４ｄに配置、固定されている。また、ＬＥＤ素子５は、電極３まで延びる電線５ａを備え、前述のように電極３を通して電力が供給され、発光する。なお、図１では、電線５ａの一部の描画を省略している。
【００１７】
第１樹脂６は、ＬＥＤ素子５を、ＬＥＤ保持部材４の凹部４ａに封ずる形で凹部４ａに収まるように配置されている。そして、第１樹脂６は、光が通過する合成樹脂で構成され、蛍光体が添加されている。これにより、例えば、ＬＥＤ素子５の青色光と蛍光体の黄色光とを混合し、照明装置として利用可能な白色光を得ることができる。
【００１８】
第２樹脂７は、ＬＥＤ保持部材４全体を覆い隠す形、すなわちお椀を伏せたような形態にして基板２上に盛られている。そして、第２樹脂７は、光が通過する合成樹脂で構成され、蛍光体が添加されていない。ＬＥＤ素子５による光照射方向の箇所、すなわち図１におけるＬＥＤ素子５の上方を、蛍光体が添加されていない第２樹脂７で広く覆うことにより、レンズのような効果を得ることができる。その結果、見かけ上光源を大きく見せることができ、且つぎらつき感を低減させることが可能である。したがって、ＬＥＤ素子５の上方に別途レンズや光拡散板を置くなどする必要がない。
【００１９】
また、第２樹脂７によって電極３とそのＬＥＤ保持部材４を同時に覆うことができるので、第２樹脂７によって覆った部分の耐湿性を高めることができ、製品の信頼性を向上させることができる。
【００２０】
このようにして、ＬＥＤ素子５を光源として使用した発光装置１において、大型化及びコストアップの防止が図られた構成で光源を大きく見せることができ、ＬＥＤ素子５の点発光がもたらす不快感を抑制することが可能な発光装置１を提供することができる。
【００２１】
以上、本発明の実施形態につき説明したが、本発明の範囲はこれに限定されるものではなく、発明の主旨を逸脱しない範囲で種々の変更を加えて実施することができる。
【産業上の利用可能性】
【００２２】
本発明は、ＬＥＤ素子を光源とした、対象に光を当てるための発光装置全般において利用可能である。
【符号の説明】
【００２３】
１    発光装置
２    基板
３    電極
４    ＬＥＤ保持部材
５    ＬＥＤ素子
６    第１樹脂
７    第２樹脂
【図１】
2011014760.tif 000003